(57)【要約】【課題】構造が簡単且つ安価であり、暑いときには体を冷やして熱中症等を予防し、寒いときには体を温めて脳内出血等を予防するための保冷剤又は保温剤を収納した首掛けタオルを提供する。【解決手段】首掛けタオル１は、長尺タオルの長手方向の一方の端部１４に表面から裏面に貫通する挿入口１１が設けられ、前記長尺タオルの長手方向の他方の端部１５を前記挿入口１１に挿通させる首掛けタオル１であって、前記長尺タオルの裏面には保冷剤及び保温剤のうちから選ばれるいずれか１が収納可能な収納部２０が配設されている。挿入口１１は、あて布１２の縫着１３により補強する。【選択図】図１
0003170376.tif 000002
【実用新案登録請求の範囲】
【請求項１】
長尺タオルの長手方向の一方の端部に表面から裏面に貫通する挿入口が設けられ、前記長尺タオルの長手方向の他方の端部を前記挿入口に挿通させる首掛けタオルであって、
前記首掛けタオルの裏面には保冷剤及び保温剤から選ばれるいずれか１が収納可能な収納部が配設されていることを特徴とする首掛けタオル。
【請求項２】
前記挿入口の形状は、スリット形状、円形状及び楕円形状から選ばれるいずれか１である請求項１記載の首掛けタオル。
【請求項３】
前記挿入口は、あて布の縫着、あて布の圧着及び穴かがりのうちの少なくとも１で補強された請求項１又は請求項２に記載の首掛けタオル。
【請求項４】
前記収納部は矩形状の布の３辺を前記長尺タオルに縫着又は圧着した請求項１乃至請求項３のいずれか１項に記載した首掛けタオル。
【請求項５】
前記収納部は矩形状の布の４辺を前記長尺タオルに縫着又は圧着し、前記矩形状の布の相対する２辺にまたがってスリットを設けた請求項１乃至請求項３のいずれか１項に記載した首掛けタオル。
【考案の詳細な説明】
【技術分野】
【０００１】
この考案は首掛けタオルに関する。詳しくは、暑いときには保冷剤を収納し、寒いときには保温剤を収納して首筋を冷却及び加温する首掛けタオルに関する。
【背景技術】
【０００２】
高齢者、熟年者、主婦等においては健康維持、ダイエット、美容のためにウォーキング等の軽運動が盛んである。手軽であり且つ容易にできる運動のためである。
しかし、炎天下の運動は軽いものであっても熱中症等の思いもよらぬ障害をもたらすことがある。また、寒い時期の戸外での活動は、血管の収縮から血圧が高くなり脳内出血等の重大な障害をひき起こすこともある。
【０００３】
また、学童、児童等の若年者においても暑い季節又は寒い季節の農作業、屋外労働、スポーツ観戦、応援等により身体に重大な障害をもたらすことがある。首筋は太い動脈が集まる部分であり、特に頚動脈を冷やすことにより脳を冷却して体全体の調子を整え熱中症等から体を護る。
又、この頚動脈を温めることにより脳を温め、血管の収縮を防止して血圧の上昇を抑えて、脳内出血等の弊害を予防する。又、暑いときに首筋を冷やすと快適であると同様に寒い時期に首筋を暖めると気持ちが良く、より快適な活動ができる。
【０００４】
タオルに保冷剤又は保温剤を収納して上述の効果をもたらす首掛けタオル等は下記先行技術文献に開示されている。
【先行技術文献】
【特許文献】
【０００５】
【特許文献１】実用新案登録第３００９４６９号公報
【特許文献２】特開２０１０−１７４３９７号公報
【特許文献３】実用新案登録第３１６７８９２号公報
【考案の概要】
【考案が解決しようとする課題】
【０００６】
しかし、これらの首掛けタオルは構造が複雑であり高価である。このタオルは使用した後は、洗濯する必要があるため予備のものが必要であり、且つ消耗も激しい。
本願考案の首掛けタオルは、構造が簡単且つ安価であり、暑いときには体を冷やして熱中症等を予防し、寒いときには体を温めて血管の収縮等を抑制するための保冷剤又は保温剤を収納した首掛けタオルを提供する。
なお、本願首掛けタオルは、農作業、屋外労働、ウォーキング、ジョギング、ゴルフ、アウトドア、スポーツ観戦等に利用できる。
【課題を解決するための手段】
【０００７】
本願考案の首掛けタオルは、長手方向の一方の端部側に表面から裏面に貫通する挿入口が設けられ、前記首掛けタオルの長手方向の他方の端部を前記挿入口に挿通させて、首に掛ける。この挿入口の形状は、特に限定されないがスリット形状、円形状、楕円形状のいずかにすることができる。
この挿入口にタオルの他方の端部を挿入してタオルを首に掛けて固定するため、軽運動をしても掛けたタオルが首から外れて落ちることはない。このため、首に掛けたタオルを結んで固定する必要は無い。
【０００８】
タオル生地に貫通した挿入口を設けると、切り口がほつれ易く、変形し易い。これを防止するためにこの挿入口にあて布をつけて縫着し、又は素材が熱可塑性樹脂の不織布等のあて布をつけて熱圧着する。あるいは、（ボタン）穴かがりの処置を施す。また、あて布を取付けたうえに更に穴かがりを施すこともできる。
このあて布は技術的な意義から必要なものであるが、デザインとしての意義もある。即ち、色彩のあるあて布を用いてオシャレのポイントとして、本願首掛けタオルの美的外観に資する。又、穴かがり用の糸に色彩を施して美的外観を発揮させる。
【０００９】
この首掛けタオルの裏面に収納部を設けて、保冷剤又は保温剤を収納する。収納部は矩形状の布を縫着又は上述の熱可塑性樹脂でつくられた不織布等を熱圧着して一辺が開口した状態で取付けられたものであり、いわゆるポケット状のものである。
この収納部は、矩形状の布の四辺を縫着又は熱圧着して相対する２辺にまたがって、略中央部にスリットを設けることもできる。この収納部はこの首掛けタオルの略中央部に配設して、この首掛けタオルを首に掛けたときに首筋にあたる位置とする。
【００１０】
この収納部には保冷剤又は保温剤を収納する。
保冷剤とは首筋を冷却できるものであれば特に限定の無い広い範囲のものをいう。通常は市販されているポリビニールアルコール、カルボキシメチルセルローズ等の高分子ポリマーゲルを使用する。
また、保温剤とは首筋を温めることが可能であれば特に限定しない広い範囲のものをいう。通常は上述の高分子ポリマーゲルを湯せんして使用するほかに、鉄を酸化させて発熱させるいわゆる使い捨てカイロ及び一般的意味で使用される懐炉等を用いる。
【考案の効果】
【００１１】
本願首掛けタオルは構造が簡単で、作製コストが小さい。
また、挿入口の形状がスリット形状、楕円形状又は円形状である場合は、作製が容易でありあて布、穴かがりによる補強が容易である。
更に、あて布、穴かがりによる美的外観の向上が図れる。
また、収納部が矩形状の布の３辺を前記長尺タオルに縫着又は圧着したものである場合は作製が容易である。
更にまた、収納部が矩形状の布の４辺を前記長尺タオルに縫着又は圧着し、前記矩形状の布の相対する２辺にまたがってスリットを設けたものであるときは保冷剤、保温剤の収納が確実にできる。
【図面の簡単な説明】
【００１２】
【図１】本願考案の首掛けタオルの斜視図である。
【図２】本願考案の首掛けタオルの表面からみた挿入部の他の態様を示す説明図である。
【図３】本願考案の首掛けタオルの裏面からみた他の態様の説明図である。
【図４】本願考案の首掛けタオルのたたみ方を示す説明図である。
【図５】本願考案の首掛けタオルのたたみ方の他の態様を示す説明図である。
【図６】本願考案の首掛けタオルの他方の端部を挿入口に挿入する例を示す説明図である。
【図７】本願考案の首掛けタオルの使用状態を示す説明図である。
【考案を実施するための形態】
【００１３】
以下、本願考案を実施するための形態を図に基づいて詳細に説明する。これらの図中の記号（または番号）は、共通する部材の場合は省略している。また、図中において部材が明瞭である場合も省略している。これらの図は本願考案を説明するために模式的に描かれたものであり、本願考案がこれらの図に拘束されるものではない。
【００１４】
図１は首掛けタオル１（以下単に「タオル」ともいう。）の斜視図である。図１（ａ）は表面から見た斜視図であり、図１（ｂ）は裏面からみた斜視図である。
タオル１の長手方向の一方の端部１４に表面から裏面に貫通する挿入口１１が設けられている。この挿入口１１はこのタオル１の他方の端部１５をこの挿入口１１に挿通して（図６参照。）、タオル１を固定する。タオル１を首に掛けて結ぶ必要は無く、首から外れることはない。
【００１５】
図１（ａ）に示すように、この挿入口１１を設ける位置はタオル１１の中央より一方の端部１４である。他方の端部１５をこの挿入口に挿通した場合に（図６参照。）タオル１の両端部がほぼ同じ位置に揃うと首に掛けたタオルを安定して固定でき、且つ外観も優れるからである。
図２（ｃ）に示すように、この挿入口１１は、タオル１の幅方向の中央に設ける必要は無く、幅方向の中央から外れた位置であっても良い。この長尺タオルの長さ寸法と幅寸法が同じである場合は（正方形のタオル）は、４スミのうちのいずれか１スミの近傍に挿入口１１を設ける。
【００１６】
この挿入口１１の形状は他方の端部１５が挿入できれば特に限定は無い。好ましくは、スリット形状、楕円形状又は円形状である。タオル１の他方の端部１５が挿入しやすく成形も容易なためである。
図１はスリット１１が長手方向に対して直角に設けられているが、図２（ａ）に示すように長手方向と平行にすることもでき、更に任意の角度にすることもできる。
また、この挿入口の寸法は特に限定はないが、挿入したタオル１の他方の端部１５がゆるくない程度のものとする。即ち、使用するタオル生地１０を構成する糸の単位面積あたりの本数、密度等で挿入口１１の大きさは異なるため、使用するタオル生地１０によって適宜決める。
【００１７】
この挿入口１１には、あて布１２を設けて補強することが好ましい。タオル生地１０はほつれ易く且つ変形し易いためである。挿入口１１がスリットである場合は、図１（ａ）及び図２（ａ）に示すように長方形状のあて布１２の縫着１３により設ける。又、このあて布１２の材質を熱可塑性の不織布等を用いて熱圧着することもできる。
【００１８】
図２（ｂ）は、挿入口１１が円形状である例を示している。この場合はあて布１２を円形状にして、縫着又は熱圧着するのは上述の挿入口１１のスリット形状の例がそのまま適用される。
図２（ｃ）は、挿入口１１が円形上であり、位置が幅方向の中心からずれている場合の例であり、挿入口１１の補強は穴かがりを用いている。穴かがりとはボタン穴かがりと同意語である。また、あて布１２を用いて補強した挿入口１１に更に穴かがりを施すこともできる。
【００１９】
タオル１は裏面に保冷剤３０及び保温剤３０のうちから選ばれるいずれか一方が収納可能な収納部２０が配設されている。この収納部２０の形状は特に限定されないが通常は矩形である。市販されている保冷剤３０及び保温剤３０は通常矩形でありこれらの保冷剤３０及び保温剤３０の収納が容易なためである。
図１（ｂ）に示すように、この収納部２０は矩形状の布２３の三辺の縫着２２により、一方を開口してポケット状にする。また、縫着に代わり上述の布２３を熱可塑性樹脂でつくられた不織布等を用いて熱圧着することもできる。
また、開口部２１はいずれの方向にすることもできる。この矩形状の布２３の材質は特に限定されないが、好ましくはガーゼ生地、レース生地を使用する。軽量且つ安価なためである。
【００２０】
また、図３（ａ）に表すように収納部２０を矩形状の布２３の四辺の縫着２２により設け、スリット２１を相対する二辺にまたがって設けることができる。また、矩形状の布２３を熱可塑性樹脂でつくられた不織布等を用いて熱圧着することもできる。図３（ｂ）は、この収納部に保冷剤３０及び保温剤３０を収納した状態の横断面図を表す。
この収納部２０は保冷剤３０及び保温剤３０を確実に収納できる。上述の収納部２０の数は限定されない。使用する保冷剤及び保温剤の大きさに合わせて適宜の数の収納部を設けることができる。
上述したこれらの矩形状の布２３の材質は特に限定されないが、好ましくはガーゼ生地、レース生地を使用する。軽量且つ安価なためである。
【００２１】
保冷剤とは、首筋を冷却することができるものであれば全てのものを含む。通常は一般に市販されている高分子ポリマーゲルを使用する。例えばポリビニールアルコール、カルボキシメチルセルローズ等が挙げられる。これらの保冷剤は冷蔵庫で冷やして（場合によっては冷凍して）繰り返し使用される。
また、保温剤とは首筋を加温できるものであれば全てのものを含む。上述のポリビニールアルコール、カルボキシメチルセルローズ等の高分子ポリマーは保温剤としても用いることができる。この場合は湯せん等で加温して繰り返し使用できる。また、電子レンジで加温して使用する保温剤も市販されている。また、懐炉等を用いることができる。特に鉄を酸化して発熱させて用いるいわゆる使い捨てカイロが好ましく用いられる。
【００２２】
タオル１は一方の端部１４側に設けられた挿入口１１に他方の端部１５を挿通して用いる。本タオル１は図４（ａ）、図５に示すように三つ折にたたんで使用することが好ましい。タオル生地で保冷剤３０または保温剤３０を二重に包んでゆるやかに首筋を冷却または加温することが好ましいためである。
図４（ｂ）は本タオル１を三つ折にたたんだ時の表面の状態を示す図である。図５は他の態様の三つ折のたたみ方を示す。
【００２３】
タオル１の一方の端部１４側に設けられた挿入口１１に他方の端部１５を挿通する方法は特に限定はされない。図６は挿入口１１に他方の端部１５を挿通する一例を示す図である。
【００２４】
図７はタオル１の使用状態を示す説明図である。この図に表れるようにあて布１２が美的外観を優れたものにしている。特にこのあて布１２に色彩を施した場合は美的外観に優れる。
【符号の説明】
【００２５】
１          首掛けタオル
１０        タオル生地
１１        挿入口
１２        あて布
１３        縫着
１４        一方の端部
１５        他方の端部
１６        穴かがり
２０        収納部
２１        開口部
２２        縫着
２３        布
３０        保冷剤（保温剤）
【図１】
0003170376.tif 000003
【図２】
0003170376.tif 000004
【図３】
0003170376.tif 000005
【図４】
0003170376.tif 000006
【図５】
0003170376.tif 000007
【図６】
0003170376.tif 000008
【図７】
0003170376.tif 000009